(57)【要約】      （修正有）【課題】照射方向を容易に所定の方向にして造営物に設置可能な直線状光源を有する照明器具を提供する。【解決手段】照明器具１は、一対の取付け部９，９を有する長尺の器具本体２と、器具本体２に対して回動し任意の角度で固定可能に一対の取付け部９，９に取り付けられ、一対のソケット２２，２３が正対するように設けられた一対の垂下板３，４と、一対のソケット２２，２３に着脱される直管形発光ランプ５と、直管形発光ランプ５を点灯する点灯装置６と、を具備している。【選択図】図１
2015032418.tif 000002
【特許請求の範囲】
【請求項１】
一対の取付け部を有する長尺の器具本体と；  この器具本体に対して回動し任意の角度で固定可能に前記一対の取付け部に取り付けられ、一対のソケットが正対するように設けられた一対の垂下板と；  前記一対のソケットに着脱される直管形発光ランプと；  この直管形発光ランプを点灯する点灯装置と；を具備していることを特徴とする照明器具。
【請求項２】
前記一対の垂下板は、前記一対の取付け部の外側に取り付けられ、前記器具本体は、前記一対の取付け部の間を内包する不透明のカバー体を配設していることを特徴とする請求項１記載の照明器具。
【発明の詳細な説明】
【技術分野】
【０００１】
本発明の実施形態は、天井や壁などの造営物に設置される直線状の光源を有する照明器具に関する。
【背景技術】
【０００２】
オフィス、台所や棚などの室内の照明器具には、従来、直管形蛍光ランプが使用されてきたが、消費電力が少なく、長寿命であるＬＥＤを光源とする直管形ＬＥＤランプが使用されつつある。この直管形ＬＥＤランプは、一面側にＬＥＤを設けた細長の長方形状の基板が透光性の樹脂管やガラス管である直管に配設されており、照明器具の一対のソケットに取り付けられている（例えば特許文献１参照。）。  
【０００３】
直管形ＬＥＤランプは、給電端子およびアース端子をそれぞれ有する一対の口金が直管の長手方向両端において固定されているので、照明器具に照り付けられたときには、照明器具の前方に向かって光を放射し、照明光の照射方向が固定されている。例えば、天井に設置された照明器具は、鉛直方向（重力の作用方向）の床面側を照明する。
【先行技術文献】
【特許文献】
【０００４】
【特許文献１】特開２０１３−１３７８７４号公報（第４頁、第１，４図）
【発明の概要】
【発明が解決しようとする課題】
【０００５】
しかし、照明器具は、鉛直方向に沿う壁面や鉛直方向に対して傾斜している壁面などに設置されているものがあり、この場合、所定の照射方向例えば床面側を照明するために、照明器具と壁面等の間に取付部材（調整部材）を介在させている。このため、照明器具の設置において、多大な時間や労力を要するとともに、設置費用も高額となっている。  
【０００６】
本実施形態は、照射方向を容易に所定の方向にして造営物に設置可能な直線状光源を有する照明器具を提供することを目的とする。
【課題を解決するための手段】
【０００７】
本実施形態の照明器具は、器具本体、一対の垂下板、直管形発光ランプおよび点灯装置を有して構成される。  
【０００８】
器具本体は、一対の取付け部を有する長尺に形成されている。一対の垂下板は、器具本体に対して回動し任意の角度で固定可能に一対の取付け部に取り付けられている。そして、一対の垂下板には、一対のソケットが正対するように設けられている。  
【０００９】
直管形発光ランプは、一対のソケットに着脱される。点灯装置は、直管形発光ランプを点灯するように形成されている。
【発明の効果】
【００１０】
本実施形態の照明器具によれば、一対のソケットを設けている一対の垂下板は、器具本体に対して回動し任意の角度で固定可能に一対の取付け部に取り付けられるので、器具本体が取り付けられる設置面が鉛直方向や鉛直方向に対して傾斜していても、一対の垂下板を器具本体に対して回動させて一対の取付け部に取り付けることにより、直管形発光ランプからの放射光を所定の方向に向かって照射させられることが期待できる。
【図面の簡単な説明】
【００１１】
【図１】本発明の一実施形態を示す照明器具の概略横断面図である。
【図２】同上、照明器具の概略側面図である。
【図３】同上、直管形発光ランプを示し、（ａ）は概略正面図、（ｂ）は概略下面図、（ｃ）は概略左側面図、（ｄ）は概略右側面図である。
【図４】同上、照明器具を示し、（ａ）は鉛直方向の設置における概略側面図、（ｂ）は鉛直方向に対して傾斜方向の設置における概略側面図である。
【発明を実施するための形態】
【００１２】
以下、本発明の一実施の形態について、図面を参照して説明する。  
【００１３】
本実施形態の照明器具１は、図１に示すように、器具本体２、一対の垂下板３，４、直管形発光ランプとしての直管形ＬＥＤランプ５および点灯装置６を有して構成されている。照明器具１は、天井や壁面などの造営物７に直付けされる直付け形照明器具である。今、照明器具１は、天井に設置された状態で説明する。  
【００１４】
器具本体２は、例えば溶融亜鉛めっき鋼板（ＳＧＣ）からなり、長尺の長方形に形成された平面部８およびこの平面部８の長手方向両端側に直角に起立して互いに正対する一対の取付け部９，９を有している。一対の取付け部９，９は、平面部８の短手方向と同幅であり、平板状の略長方形に形成されている。そして、一対の取付け部９，９には、それぞれねじ１０を通す挿通孔１１が形成され、内面９ｂ側にナット１２が取り付けられている。ナット１２は、その雌ねじ部１２ａが挿通孔１１に連続するようにして取付け部９の内面９ｂに例えば溶接により取り付けられている。ナット１２，１２は、その雌ねじ部１２ａ，１２ａが正対するように設けられている。  
【００１５】
平面部８には、木ネジ１３を通すための複数の通孔１４および電源コード１５を挿通するための挿通孔１６が形成されている。挿通孔１６には、図示しないブッシングが配設されている。そして、挿通孔１６に対応して、造営物（天井）７には、挿通孔１７が設けられている。また、平面部８には、短手方向両端側に取付け部９，９と同方向を向くようにして複数個の取付片１８が設けられている。  
【００１６】
器具本体２は、複数個の木ネジ１３が通孔１４を通して造営物７にねじ込まれて、造営物７に固定している。そして、器具本体２には、一対の取付け部９，９の間を内包する不透明のカバー体１９が配設されている。カバー体１９は、例えば鉄板からなり、縦断面略凹形に形成されており、複数個の取付片１８にねじ２０により取り付けられている。また、カバー体１９は、器具本体２から外方に突出しないように形成されているとともに、図示しない反射膜などが形成されている。  
【００１７】
一対の垂下板３，４は、例えば鉄板からなり、図２に示すように、横幅Ｗ１が取付け部９の横幅Ｗ２よりも小さい略長方形に形成されている。そして、一対の垂下板３，４は、一対の取付け部９，９の外側である外面９ａ，９ａにねじ１０により取り付けられている。一対の垂下板３，４には、図１に示すように、それぞれねじ１０を挿通する挿通孔２１が形成されている。ねじ１０は、挿通孔２１および取付け部９の挿通孔１１を通ってナット１２の雌ねじ部１２ａにねじ込まれている。  
【００１８】
一対の垂下板３，４は、ねじ１０がナット１１に完全にねじ込まれることにより、一対の取付け部９，９に固定される。そして、ねじ１０が緩みを持ってナット１２にねじ込まれていると、一対の垂下板３，４は、それぞれねじ１０を回転軸として取付け部９の外面９ａに沿って回動するものである。すなわち、ねじ１０，１０は、一対の垂下板３，４を回動させる軸ねじである。こうして、一対の垂下板３，４は、器具本体２に対して回動し任意の角度で固定可能に一対の取付け部９，９に取り付けられている。本実施形態では、一対の垂下板３，４は、器具本体２に対して直角（９０°）に固定されている。  
【００１９】
そして、一対の垂下板３，４には、一対のソケット２２，２３が設けられている。すなわち、垂下板３にソケット２２が設けられ、垂下板４にソケット２３が設けられている。そして、一対のソケット２２，２３は、直管形ＬＥＤランプ５を着脱することができるように、正対するようにして一対の垂下板３，４に設けられている。一対のソケット２２，２３は、例えば、一般社団法人  日本電球工業会規格（ＪＥＬ８０１：２０１０）のソケットに形成されている。例えば、ソケット３は、形名ＤＦＳ−１２０２であり、ソケット４は、形名ＤＦＳ−０１０２である。  
【００２０】
直管形ＬＥＤランプ５は、図３に示すように、直管２４、発光体２５、取付け体２６および一対の口金２７，２８を有して形成されている。直管２４は、透光性のガラスまたは合成樹脂例えばポリカーボネート樹脂からなり、長尺の円筒に形成されている。発光体２５は、基板２９およびこの基板２９の一面２９ａに実装された複数個のＬＥＤ素子３０を有してなる。基板２９は、例えばガラスエポキシ材からなり、長尺の長方形に形成されている。また、ＬＥＤ素子３０は、例えば白色光を放射するパッケージ品であり、基板２９の一面２９ａに等間隔に、本実施形態では２列に設けられている。複数個のＬＥＤ素子３０は、基板２９に形成された不図示の配線パターンにより直並列接続されている。  
【００２１】
取付け体２６は、発光体２５を直管２４内に設けるものであり、高熱伝導率を有する金属例えばアルミニウム（Ａｌ）からなり、円弧状の柱体に形成されている。そして、取付け体２６は、ＬＥＤ素子３０の放射光が直管２４から所定の方向に出射するように、基板２９の他面２９ｂを密接して不図示のねじにより発光体２５を取り付けている。また、取付け体２６は、その長手方向両端に一対の口金２７，２８を取り付けている。  
【００２２】
一対の口金２７，２８は、一対のソケット２２，２３に着脱されるものであり、例えば、一般社団法人  日本電球工業会規格（ＪＥＬ８０１：２０１０）のＧＸ１６ｔ−５の口金に形成されている。口金２７は、給電端子側口金であり、ポリブチレンテレフタレート（ＰＢＴ）樹脂からなるボディ３１に一対の給電側ピン３２，３２を有している。また、口金２８は、アース端子側口金であり、ボディ３１に接地側ピン３３を有している。一対の口金２７，２８は、ねじ３４，３４により、直管２４を挟むようにして取付け体２６の長手方向両端に取り付けられている。  
【００２３】
そして、口金２７の一対の給電側ピン３２，３２は、発光体２５のＬＥＤ素子３０に電気接続されている。また、口金２８のアース側ピン３３は、取付け体２６に電気接続している。ＬＥＤ素子３０は、点灯装置６から所定の電流が供給されると点灯（発光）し、白色光を放射する。白色光は、透光性の直管２４を透過して外部空間に出射する。  
【００２４】
点灯装置６は、図１に示すように、器具本体２の一対の取付け部９，９の間において、平面部８に図示しないリベットにより取り付けられている。点灯装置６は、電源コード１５が導出されていて、当該電源コード１５から外部電源を入力する。また、点灯装置６から出力コード３５が導出され、その出力線３６ａ，３６ｂがソケット２２に接続されている。カバー体１９には、出力コード３５を通す切り欠き部３７が設けられている。出力コード３５は、一対の垂下板３，４の回動に対応できるように、一対の取付け部９，９の間において撓まされて配線されている。また、点灯装置６は、電源コード１５のアース線に接続された不図示のアース線を導出しており、このアース線が垂下板４を介してソケット２３に接続されている。点灯装置６は、外部電源の交流電圧を直流電源を生成し、所定の電流を出力して、直管形発光ランプ５を点灯させる回路構成に形成されている。  
【００２５】
次に、本発明の第１の実施形態の作用について述べる。  
【００２６】
照明器具１は、点灯装置６に外部電源が供給されると、点灯装置６が所定の電流を直管形ＬＥＤランプ５に出力する。直管形ＬＥＤランプ５は、そのＬＥＤ素子３０が点灯して、白色光を放射する。白色光は、直管２４を透過して外部空間に出射される。  
【００２７】
照明器具１を造営物７に取り付けるには、まず、器具本体２を木ネジ１３により造営物７に取り付けて、電源コード１５の配線処理を行う。そして、出力コード３５をカバー体１９の切り欠き部３７に通して、カバー体１９をねじ２０により取付片１８に取り付ける。これにより、一対の取付け部９，９の間が不透明のカバー体１９に閉塞されて、外部から見えにくくなる。  
【００２８】
そして、ねじ１０，１０を若干緩める。これにより、一対の垂下板３，４は、それぞれ取付け部９の外面９ａに沿って回動可能となる。そして、器具本体２が天井に設置されると、一対の垂下板３，４は、その自重により、鉛直方向（重力の作用方向）に垂れる。すなわち、一対の垂下板３，４は、一対の取付け部９，９と同方向を向く。この状態で、ねじ１０をナット１２に強くねじ込むと、一対の垂下板３，４は、それぞれ取付け部９，９に固定される。そして、一対のソケット２２，２３に直管形ＬＥＤランプ５を取り付ける。  
【００２９】
一対の垂下板３，４は、鉛直方向に向いているので、直管形ＬＥＤランプ５のＬＥＤ素子３０は、鉛直方向の下方（床面側）に向かって白色光を放射す
る。これにより、照明器具１により、床面側が照明される。  
【００３０】
そして、図４（ａ）に示すように、照明器具１を鉛直方向に沿う壁３８に設置するときには、器具本体２を壁３８に取り付けた後、ねじ１０，１０を緩めることにより、一対の垂下板３，４は、その自重により、鉛直方向に垂れる。そして、一対の垂下板３，４は、ねじ１０，１０をナット１２，１２に強くねじ込むことにより、一対の取付け部１０，１０に固定される。一対の垂下板３，４は、器具本体２に対して平行となる１８０°の角度で固定される。そして、直管形ＬＥＤランプ５は、床面側に向かって白色光を放射する。  
【００３１】
また、図４（ｂ）に示すように、照明器具１を鉛直方向に対して傾斜している壁３８Ａに設置すると、上記同様にして、一対の垂下板３，４は、鉛直方向に垂れるようにして一対の取付け部９，９に固定される。一対の垂下板３，４は、器具本体２に対して壁３８Ａの傾斜角度例えば４５°の角度で固定される。照明器具１は、床面側を照明することができる。  
【００３２】
また、直管形ＬＥＤランプ５の放射光を所定の方向に向けて放射させるときには、一対の垂下板３，４の向きを所定の方向にして、ねじ１０，１０をナット１２，１２に強くねじ込む。これにより、一対の垂下板３，４は、一対の取付け部１０，１０に固定されて、直管形ＬＥＤランプ５の放射光が所定の方向に向かって放射される。照明器具１は、所定の方向の空間を照明するようになる。  
【００３３】
このように、一対の垂下板３，４は、器具本体２に対して回動して任意の角度で固定可能であるので、照明器具１は、直管形ＬＥＤランプ５の放射光を任意の方向に向かって出射させられる。  
【００３４】
本実施形態の照明器具１によれば、一対の垂下板３，４は、器具本体２に対して回動し任意の角度で固定可能に一対の取付け部９．９に取り付けられるので、器具本体２が取り付けられる設置面が鉛直方向や鉛直方向に対して傾斜していても、一対の垂下板３，４を器具本体２に対して回動させて一対の取付け部９，９に取り付けることにより、直管形発光ランプ５からの放射光を所定の方向に向かって照射させることができて、これにより、所定の方向を照明できるという効果を有する。  
【００３５】
また、一対の垂下板３，４は、一対の取付け部９，９の外面９ａ，９ａに取り付けられていることにより、一対の取付け部９，９の間を内包する不透明のカバー体１９は、一対の取付け部９，９に干渉することなく形成できるので、容易にかつ安価に形成でき、照明器具１のコスト低減を図ることができるという効果を有する。  
【００３６】
なお、本実施形態において、ナット１２は、雌ねじ部が設けられた筒体であってもよい。また、ナット１２は、一対の垂下板３，４が一対の取付け部９，９から緩まないように、緩み防止用のナットを用いると好適である。  
【００３７】
また、直管形ＬＥＤランプ５は、点灯装置６の構成を内蔵するように形成されていてもよい。  
【００３８】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００３９】
１…照明器具、  ２…器具本体、  ３，４…一対の垂下板、  ５…直管形発光ランプとしての直管形ＬＥＤランプ、  ６…点灯装置、  ９，９…一対の取付け部、  １９…カバー体、  ２２，２３…一対のソケット
【図１】
2015032418.tif 000003
【図２】
2015032418.tif 000004
【図３】
2015032418.tif 000005
【図４】
2015032418.tif 000006